【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
それぞれが複数のタイプの歯列矯正状態の一つに対応する複数のタイプの予め形成された歯科器具の一つを患者に配布する方法であって、
前記患者が前記複数のタイプの歯列矯正状態の一つを持っていると診断するステップと、
前記患者の歯列矯正状態のタイプに対応する前記予め形成された歯科器具のタイプを前記患者に提供するステップと、
を有することを特徴とする方法。
【請求項２】
前記予め形成された歯科器具を装着し、咬合異常を治療するステップを更に有する請求項１に記載の方法。
【請求項３】
前記患者がオフィスを訪れる前に、前記歯科器具用の広告を出すステップを更に有する請求項１に記載の方法。
【請求項４】
前記歯科器具は、オフィスから離れた場所から前記患者に配送される請求項１に記載の方法。
【請求項５】
前記歯科器具を前記患者に提供する前に、前記歯科器具をカスタマイズするステップを更に有する請求項１に記載の方法。
【請求項６】
それぞれが複数のタイプの歯列矯正状態の一つに対応する複数のタイプの歯科器具の一つを歯科診療を提供するオフィスチェーンのオフィスを通して患者に配布する方法であって、
前記患者を診察するステップと、
前記患者が前記複数のタイプの歯列矯正状態の一つを持っていると診断するステップと、
前記歯列矯正状態のタイプに対応する前記歯科器具のタイプを前記患者に提供するステップと、
を有することを特徴とする方法。
【請求項７】
前記歯科器具は、予め形成された歯科器具である請求項６に記載の方法。
【請求項８】
前記歯科器具は、カスタマイズされた歯科器具である請求項６に記載の方法。
【請求項９】
前記患者は、装置によって診察される請求項６に記載の方法。
【請求項１０】
前記患者は、医療機関によって診察される請求項６に記載の方法。
【請求項１１】
前記歯科器具は、オフィスから離れた場所で製作される請求項６に記載の方法。
【請求項１２】
前記患者は、オフィスから離れた位置で診察される請求項６に記載の方法。
【請求項１３】
それぞれが複数のタイプの歯列矯正状態の一つに対応する複数のタイプの歯科器具の一つをショッピングセンター内にある歯列矯正センターを通して患者に配布する方法であって、
前記患者を診察するステップと、
前記患者が前記複数の歯列矯正状態のタイプの一つを持っていると診断するステップと、
前記歯列矯正状態のタイプに対応する前記歯科器具のタイプを前記患者に提供するステップと、
を有することを特徴とする方法。
【請求項１４】
前記歯科器具を前記患者に提供する前に、前記歯科器具をカスタマイズするステップを更に有する請求項１３に記載の方法。
【請求項１５】
前記歯科器具は、予め形成された歯科器具である請求項１３に記載の方法。
【請求項１６】
前記歯科器具を前記患者に提供する前に、前記歯列矯正センターへ前記歯科器具を配送するステップを更に有する請求項１３に記載の方法。
【請求項１７】
前記患者は、装置によって診察される請求項１３に記載の方法。
【請求項１８】
前記歯科器具で咬合異常を治療するステップを更に有する請求項１３に記載の方法。
【請求項１９】
前記患者は、前記歯列矯正センターから離れた場所で診断される請求項１３に記載の方法。
【請求項２０】
患者に歯科器具を配布する方法であって、
歯科器具販売装置が歯列矯正状態の一つ以上のタイプにそれぞれ対応する歯科器具の一つ以上のタイプを格納する歯科器具販売装置を運送会社に設置するステップと、
前記患者が前記歯列矯正状態のタイプの一つを持っていると診断するステップと、
前記患者の歯列矯正状態のタイプに対応する前記歯科器具を患者に販売するステップと、
を有することを特徴とする方法。
【請求項２１】
前記歯科器具で咬合異常を治療するステップを更に有する請求項２０に記載の方法。
【請求項２２】
前記歯科器具販売装置を介して患者の画像を取得するステップを更に有する請求項２０に記載の方法。
【請求項２３】
前記歯科器具販売装置を介して患者の印象を取得するステップを更に有する請求項２０に記載の方法。
【請求項２４】
患者に歯科器具を配布するシステムであって、
患者の口腔内部の画像を取得する撮像手段を有する歯科器具販売装置と、
前記歯科器具販売装置の内部に格納され、それぞれが歯列矯正状態のタイプに対応する複数のタイプの歯科器具と、
前記歯科器具販売装置に接続されるが、前記歯科器具販売装置から離れて設置され、前記患者の口腔から取得された画像を前記歯列矯正状態の一つのタイプと診断する中央演算処理装置と、
を備えることを特徴とするシステム。
【請求項２５】
二つ以上の前記歯科器具は、咬合異常の治療の逐次段階に対応する請求項２４に記載のシステム。
【請求項２６】
それぞれが複数のタイプの歯列矯正状態の一つに対応する複数の予め形成された歯科器具のタイプの一つを患者に配布する方法であって、
歯の印象を取得するウエハを含む歯列矯正キットを提供するステップと、
前記印象に基づいて前記歯列矯正状態の一つを診断するステップと、
を有することを特徴とする方法。
【請求項２７】
前記ウエハの印象が取得された場所から離れた場所で、前記歯科器具を製作するステップを更に有する請求項２６に記載の方法。
【請求項２８】
診断された前記歯列矯正状態のタイプに基づいて、前記歯科器具のタイプの一つを前記患者に配送するステップを更に有する請求項２６に記載の方法。
【請求項２９】
前記歯科器具を配送する前に前記歯科器具をカスタマイズするステップを更に有する請求項２８に記載の方法。
【請求項３０】
前記歯科器具は、予め形成されている請求項２６に記載の方法。
【請求項３１】
前記歯列矯正キットは、前記歯列矯正状態の少なくとも一つのタイプに関する情報を含む請求項２６に記載の方法。
【請求項３２】
複数のサイズを有する複数の歯科器具の一つを患者に配布する方法であって、
歯科器具のサイズに関する情報を含むパッケージで、前記複数の歯科器具のそれぞれを提供するステップを有し、前記患者が前記情報に基づいて前記複数のサイズの歯科器具の一つを選択可能であることを特徴とする方法。
【請求項３３】
前記歯科器具で咬合異常を治療するステップを更に有する請求項３２に記載の方法。
【請求項３４】
前記パッケージは、歯列矯正状態の一つのタイプに関する情報を更に含む請求項３２に記載の方法。
【請求項３５】
前記情報は、歯の実際のサイズの画像を提供する請求項３２に記載の方法。
【請求項３６】
前記複数の歯科器具のそれぞれは、複数の歯列矯正状態のタイプの一つに対応する請求項３２に記載の方法。
【請求項３７】
それぞれが複数のタイプの歯列矯正状態の一つに対応する複数のタイプの歯科器具の一つを配布場所を通して患者に配布する方法であって、
前記患者が前記複数の歯列矯正状態のタイプの一つを持っていると診断するステップと、
前記歯列矯正状態のタイプに対応する前記歯科器具のタイプを前記患者に提供するステップと、を有し、
前記患者は、前記歯科矯正状態を治療するための前記歯科器具を受け取った後は、前記配布場所の人間と交流する必要がないことを特徴とする方法。
【請求項３８】
前記配布場所は、医療機関のオフィスである請求項３７に記載の方法。
【請求項３９】
前記配布場所は、オフィスチェーンのオフィスである請求項３７に記載の方法。
【請求項４０】
前記配布場所は、ショッピングセンター内にある歯列矯正センターである請求項３７に記載の方法。
【請求項４１】
前記配布場所は、運送会社に設置された歯科器具販売装置である請求項３７に記載の方法。
【請求項４２】
それぞれが複数のタイプの歯列矯正状態の一つに対応する複数のタイプの歯科器具の一つを配布場所を通して患者に配布する方法であって、
前記患者が前記複数の歯列矯正状態のタイプの一つを持っていると診断するステップと、
前記歯列矯正状態のタイプに対応する前記歯科器具のタイプを前記患者に提供するステップと、を有し、
前記患者は、前記歯科矯正状態を治療するための前記歯科器具を受け取った後に、前記配布場所の人間と交流する必要があることを特徴とする方法。
【請求項４３】
前記配布場所は、医療機関のオフィスである請求項４２に記載の方法。
【請求項４４】
前記配布場所は、オフィスチェーンのオフィスである請求項４２に記載の方法。
【請求項４５】
前記配布場所は、ショッピングセンター内にある歯列矯正センターである請求項４２に記載の方法。
【請求項４６】
前記配布場所は、運送会社に設置された歯科器具販売装置である請求項４２に記載の方法。
【請求項４７】
患者に歯科器具を提供する方法であって、
前記患者の歯における歯科矯正状態を診断するステップと、
前記歯科矯正状態を矯正するための歯科器具を入手するために、前記患者が利用可能な配布場所を提供するステップと、を有し、
前記配布場所は、医療機関のオフィス、オフィスチェーンのオフィス、ショッピングセンター内にある歯科矯正センター、及び歯科器具販売装置の中から選択されることを特徴とする方法。
【請求項４８】
前記歯科器具は、それぞれが複数のタイプの歯科矯正状態の一つに対応する複数のタイプの歯科器具のうちの一つである請求項４７に記載の方法。
【請求項４９】
前記患者は、前記歯科器具を受け取った後は、前記配布場所を訪れる必要がない請求項４７に記載の方法。
【請求項５０】
前記患者は、前記歯科器具を受け取った後に、一度前記配布場所を訪れる必要がある請求項４７に記載の方法。
【請求項５１】
前記配布場所は、前記患者から離れた場所に位置する請求項４７に記載の方法。
【請求項５２】
前記患者を診断するステップは、前記配布場所から離れた場所で行われる請求項４７に記載の方法。
【請求項５３】
様々なサイズの歯列を持つユーザーに適合するようなサイズに作られ、複数のタイプの歯列矯正状態の一つに対応する歯科器具の一つを、配布場所を通して患者に配布する方法であって、
前記患者が前記複数の歯列矯正状態のタイプの一つを持っていると診断するステップと、
前記歯列矯正状態のタイプの一つに対応する歯科器具を前記患者に提供するステップと、を有し、
前記患者は、前記歯科矯正状態を治療するための前記歯科器具を受け取った後は、前記配布場所の人間と交流する必要がないことを特徴とする方法。
【請求項５４】
前記配布場所は、医療機関のオフィスである請求項５３に記載の方法。
【請求項５５】
前記配布場所は、オフィスチェーンのオフィスである請求項５３に記載の方法。
【請求項５６】
前記配布場所は、ショッピングセンター内にある歯科矯正センターである請求項５３に記載の方法。